(57)【要約】アルキルチオエーテル界面活性剤、アルコキシ化修飾ロジン、またはこれらの組み合わせを含有するオフセット輪転石版インキ組成物が提供される。このインキ組成物は油性インキまたは水性インキであり得、これらのインキは放射線硬化性であり得る。結果として生じるインキ組成物をオフセット輪転石版印刷で用いて、印刷中に生じるインキフィードバックおよびインキ蓄積を大幅に減少させるか、または排除することができる。石版印刷プロセス中のインキフィードバックおよび蓄積を減少させるか、または排除するための方法も提供される。【選択図】  なし【特許請求の範囲】
【請求項１】
油性オフセット輪転石版インキ組成物であって、
着色剤と、
ニスと、
水溶性アルキルチオエーテル界面活性剤と、を含む、石版インキ組成物。
【請求項２】
前記アルキルチオエーテル界面活性剤が、２，３−ジヒドロキシプロピル−２’−ヒドロキシ−３’−（２−エチルヘキシルオキシ）プロピル硫化物、２，３−ジヒドロキシプロピル−２’−ヒドロキシ−３’−ドデシルオキシプロピル硫化物、２，３−ジヒドロキシプロピル−２’−ヒドロキシ−３’−ヘキサデシルオキシプロピル硫化物、２，３−ジヒドロキシプロピル−２’−ヒドロキシ−３’−テトラデシルオキシプロピル硫化物、２−ヒドロキシエチル−２’−ヒドロキシ−３’−ブトキシプロピル硫化物、２−ヒドロキシエチル−２’−ヒドロキシ−３’−オクチルオキシプロピル硫化物、２−ヒドロキシエチル−２’−ヒドロキシ−３’−ノニルオキシプロピル硫化物、２−ヒドロキシエチル−２’−ヒドロキシ−３’−デシルオキシプロピル硫化物、２−ヒドロキシエチル−２’−ヒドロキシ−３’−ドデシルオキシプロピル硫化物、２−ヒドロキシ−エチル−２’−ヒドロキシ−３’−ヘキサデシルオキシプロピル硫化物、２−ヒドロキシエチル−２’−ヒドロキシ−３’−テトラデシルオキシ−プロピル硫化物、２−ヒドロキシエチル−２’−ヒドロキシ−３’−（２−エチルヘキシルオキシ）プロピル硫化物、もしくは２−ドデシル−２’−ヒドロキシ−３’−ブトキシプロピル硫化物、またはこれらの組み合わせを含む、請求項１に記載の組成物。
【請求項３】
前記アルキルチオエーテル界面活性剤が、前記インキ組成物の０．０１重量％または約０．０１重量％〜５重量％または約５重量％の量で存在する、請求項１または２に記載の組成物。
【請求項４】
油性オフセット輪転石版インキ組成物であって、
着色剤と、
ニスと、
水溶性アルコキシ化修飾ロジンと、を含む、石版インキ組成物。
【請求項５】
放射線硬化性オフセット輪転石版インキ組成物であって、
着色剤と、
ニスと、
水溶性アルコキシ化修飾ロジンと、を含む、石版インキ組成物。
【請求項６】
前記修飾ロジンが、ガムロジン、ウッドロジン、またはトール油ロジンである、請求項４または５に記載の組成物。
【請求項７】
前記修飾ロジンが、メトキシ化修飾ロジン、エトキシ化修飾ロジン、プロポキシ化修飾ロジン、およびブトキシ化修飾ロジンから選択される、請求項４〜６のいずれかに記載の組成物。
【請求項８】
前記修飾ロジンが１０％〜７０％アルコキシ化される、請求項４〜７のいずれかに記載の組成物。
【請求項９】
前記修飾ロジンが少なくとも５０％アルコキシ化される、請求項４〜８のいずれか１項に記載の組成物。
【請求項１０】
前記修飾ロジンが、前記インキ組成物の０．１重量％または約０．１重量％〜１０重量％または約１０重量％の量で存在する、請求項４〜９のいずれか１項に記載の組成物。
【請求項１１】
前記修飾ロジンがエトキシ化修飾ロジンである、請求項４〜１０のいずれか１項に記載の組成物。
【請求項１２】
ビヒクル、粘土、乳化安定剤、ワックス、油、および乳化剤、またはこれらの任意の組み合わせから選択される成分をさらに含む、請求項１〜１１のいずれか１項に記載の組成物。
【請求項１３】
オフセット輪転石版印刷プロセス中のインキフィードバックおよびインキ蓄積を減少させるか、または排除する方法であって、
石版インキを提供することと、
水溶性アルキルチオエーテル界面活性剤またはアルコキシ化修飾ロジンまたはこれらの組み合わせを前記石版インキに添加することと、
オフセット輪転石版印刷プロセスを用いて前記インキを被印刷物に塗布することと、を含む、方法。
【請求項１４】
前記アルキルチオエーテル界面活性剤が、前記インキの０．０１重量％または約０．０１重量％〜５重量％または約５重量％の量で前記インキに添加される、請求項１３に記載の方法。
【請求項１５】
前記アルコキシ化修飾ロジンが、前記インキの０．１重量％または約０．１重量％〜１０重量％または約１０重量％の量で前記インキに添加される、請求項１４に記載の方法。
【請求項１６】
前記アルコキシ化修飾ロジンが１０％〜７０％アルコキシ化される、請求項１３〜１５のいずれか１項に記載の方法。
【請求項１７】
前記アルコキシ化修飾ロジンが少なくとも５０％アルコキシ化される、請求項１３〜１６のいずれか１項に記載の方法。
【請求項１８】
前記アルキルチオエーテル界面活性剤が、２，３−ジヒドロキシプロピル−２’−ヒドロキシ−３’−（２−エチルヘキシルオキシ）プロピル硫化物、２，３−ジヒドロキシプロピル−２’−ヒドロキシ−３’−ドデシルオキシプロピル硫化物、２，３−ジヒドロキシプロピル−２’−ヒドロキシ−３’−ヘキサデシルオキシプロピル硫化物、２，３−ジヒドロキシプロピル−２’−ヒドロキシ−３’−テトラデシルオキシプロピル硫化物、２−ヒドロキシエチル−２’−ヒドロキシ−３’−ブトキシプロピル硫化物、２−ヒドロキシエチル−２’−ヒドロキシ−３’−オクチルオキシプロピル硫化物、２−ヒドロキシエチル−２’−ヒドロキシ−３’−ノニルオキシプロピル硫化物、２−ヒドロキシエチル−２’−ヒドロキシ−３’−デシルオキシプロピル硫化物、２−ヒドロキシエチル−２’−ヒドロキシ−３’−ドデシルオキシプロピル硫化物、２−ヒドロキシ−エチル−２’−ヒドロキシ−３’−ヘキサデシルオキシプロピル硫化物、２−ヒドロキシエチル−２’−ヒドロキシ−３’−テトラデシルオキシ−プロピル硫化物、２−ヒドロキシエチル−２’−ヒドロキシ−３’−（２−エチルヘキシルオキシ）プロピル硫化物、もしくは２−ドデシル−２’−ヒドロキシ−３’−ブトキシプロピル硫化物、またはこれらの組み合わせを含む、請求項１３〜１７のいずれか１項に記載の方法。
【請求項１９】
前記修飾ロジンが、メトキシ化修飾ロジン、エトキシ化修飾ロジン、プロポキシ化修飾ロジン、およびブトキシ化修飾ロジンから選択される、請求項１３〜１８のいずれか１項に記載の方法。
【請求項２０】
前記アルコキシ化修飾ロジンがエトキシ化修飾ロジンである、請求項１３〜１９のいずれか１項に記載の方法。
【請求項２１】
石版印刷中のインキフィードバックおよびインキ蓄積を減少させるための石版インキ中の添加剤としての水溶性アルキルチオエーテル界面活性剤の使用。
【請求項２２】
前記アルキルチオエーテル界面活性剤が、２，３−ジヒドロキシプロピル−２’−ヒドロキシ−３’−（２−エチルヘキシルオキシ）プロピル硫化物、２，３−ジヒドロキシプロピル−２’−ヒドロキシ−３’−ドデシルオキシプロピル硫化物、２，３−ジヒドロキシプロピル−２’−ヒドロキシ−３’−ヘキサデシルオキシプロピル硫化物、２，３−ジヒドロキシプロピル−２’−ヒドロキシ−３’−テトラデシルオキシプロピル硫化物、２−ヒドロキシエチル−２’−ヒドロキシ−３’−ブトキシプロピル硫化物、２−ヒドロキシエチル−２’−ヒドロキシ−３’−オクチルオキシプロピル硫化物、２−ヒドロキシエチル−２’−ヒドロキシ−３’−ノニルオキシプロピル硫化物、２−ヒドロキシエチル−２’−ヒドロキシ−３’−デシルオキシプロピル硫化物、２−ヒドロキシエチル−２’−ヒドロキシ−３’−ドデシルオキシプロピル硫化物、２−ヒドロキシ−エチル−２’−ヒドロキシ−３’−ヘキサデシルオキシプロピル硫化物、２−ヒドロキシエチル−２’−ヒドロキシ−３’−テトラデシルオキシ−プロピル硫化物、２−ヒドロキシエチル−２’−ヒドロキシ−３’−（２−エチルヘキシルオキシ）プロピル硫化物、もしくは２−ドデシル−２’−ヒドロキシ−３’−ブトキシプロピル硫化物、またはこれらの組み合わせを含む、請求項２１に記載の使用。
【請求項２３】
石版印刷中のインキフィードバックおよびインキ蓄積を減少させるための石版インキ中の添加剤としての水溶性アルコキシ化修飾ロジンの使用。
【請求項２４】
前記修飾ロジンが１０％〜７０％アルコキシ化される、請求項２３に記載の使用。
【請求項２５】
前記修飾ロジンが、メトキシ化修飾ロジン、エトキシ化修飾ロジン、プロポキシ化修飾ロジン、およびブトキシ化修飾ロジンから選択される、請求項２３または２４に記載の使用。
【請求項２６】
前記アルコキシ化修飾ロジンがエトキシ化修飾ロジンである、請求項２３〜２５のいずれかに記載の使用。
【発明の詳細な説明】
【技術分野】
【０００１】
関連出願
２０１１年９月２３日に出願されたＲａｍａｓａｍｙ  Ｋｒｉｓｈｎａｎ、Ｊｅｆｆ  Ｊｏｎｅｓ、およびＭａｔｔｈｉａｓ  Ｈｅｌｌｂｌａｕの米国仮出願第６１／５３８，７１８号、表題「ＡＤＤＩＴＩＶＥＳ  ＴＯ  ＬＩＴＨＯ  ＩＮＫＳ  ＴＯ  ＥＬＩＭＩＮＡＴＥ  ＩＮＫ  ＦＥＥＤＢＡＣＫ」に対する優先権の利益を主張する。可能な場合、本出願の主題は、参照によりその全体が組み込まれる。
【背景技術】
【０００２】
石版印刷とは、同一の平面上に画像領域および非画像領域を有する印刷版を利用する平版印刷プロセスである。オフセット石版印刷機は、典型的には、１つ以上の印刷版を保持する円筒平板を含む。インキローラーは、１つ以上のインキ着けローラーを利用してインキを印刷版に塗布する。インキ着けローラー上のインキ膜は、印刷版上の画像領域と接触し、インキをインキ着けローラーから印刷版に移動させる。その後、印刷版上のインキ付けされた画像は、紙等の印刷される材料に画像を移動させるゴム胴に移動する。このプロセスは、印刷版が紙に直接印刷しないが、画像の複製を材料上に形成する前に最初にゴムブランケット上に「オフセット」される（オフセットブランケット）ため、オフセット石版印刷と称される。
【０００３】
インキがいくつかの領域に付着するが、その他の領域には付着しないように、化学的処理を用いて、印刷版上で異なる表面エネルギーを有する領域を作成する。印刷（画像）領域が、典型的には、疎水性かつインキ受容性である一方で、非印刷領域は、典型的には、親水性かつ水受容性である。この効果を得るために、印刷版がインキ付けされる前に、印刷版を水性湿し水（ｆｏｕｎｔａｉｎ  ｓｏｌｕｔｉｏｎ）（湿し水（ｄａｍｐｅｎｉｎｇ  ｓｏｌｕｔｉｏｎ））で湿らせてもよい。湿し水は容器中に保存され、１つ以上のクロム（湿し）ローラーによって印刷版に供給され得る。湿し水は、典型的には、印刷版の水受容性領域上に膜を形成するが、撥水性領域上に微小な液滴を形成する。インキ着けローラーが湿らせた印刷版の上を通過するとき、膜でコーティングされた非印刷領域をインキ付けすることは不可能であるが、撥水性領域上の液滴を押しやってそれらの領域をインキでコーティングすることは可能である。
【０００４】
印刷プロセス中、印刷版は、薄膜を維持し、ひいては非画像領域の親水性を維持するために、湿し水で継続的に処理されなければならない。湿し水の薄膜は、その後のインキの塗布が印刷版の非画像領域をコーティングするのを防ぐ。しかしながら、印刷が繰り返し中断されながら実行されるときに、インキが湿しローラー上に蓄積し、印刷版表面の非画像領域に付着する傾向がある。これは、「地汚れ」または「インキフィードバック」と称され、印刷物上に汚点およびリングの望ましくない形成をもたらす。
【０００５】
湿しローラー上のインキフィードバック（すなわち、着色）および過度のインキ蓄積（すなわち、地汚れ）は、高速オフセット輪転石版印刷の共通の問題である。多くの場合、印刷機は、１日にいくつかの色の変化を経験し、着色および地汚れの量を増加させ得る。そのような場合において、クロムローラーおよび印刷版は、水を受容しインキを受容しない能力を維持するように、完全に洗浄されなければならない。着色および地汚れを最小限に抑えることにより「湿し」制御を改善するために受動的な（親水性の）クロムローラーが提供されるが、この点において完璧ではない。着色および地汚れが回避される場合にのみ良好な印刷が生じる。
【０００６】
着色および地汚れは、インキロールを経由することなく湿し水を印刷版に直接塗布する連続ロール湿しシステムと併用したアルコールを含まない湿し水への転換以来、より大きな問題となっている。湿しローラーは、印刷版からインキを受け取り、インキを計測システム内の多孔性かつインキ感受性のクロムロールを介して計測ロールに戻し移動させ得る。インキローラーに戻す経路がないため、乳化インキが蓄積し続ける。ローラー上でのインキの蓄積を防ぐための方法が存在するが、それらの方法のうちの多くは費用がかかる上、不便であり、印刷時間を増大させ得る。そのため、着色および地汚れの問題を防ぐか、または少なくとも軽減する解決策が所望される。
【０００７】
湿し水が水性であるため、界面活性剤およびロジン等の水溶性添加剤を含有する市販の湿し水が多く存在する。しかしながら、湿し水中の添加剤の存在は、印刷プロセスに支障をきたし得る。湿し水が印刷プロセス中に継続的に塗布されるため、添加剤の実際の量を制御することができず、印刷物の欠陥につながり得る。その代替案として、添加剤は、湿し水ではなくインキ組成物に組み込まれ得る。典型的には、印刷業界で使用されるインキは、油性インキであり、インキに組み込まれる添加剤は、油溶性添加剤である（例えば、米国特許第５，４１７，７４９号（添加剤がレシチンまたはアルキルポリグルコシド等の界面活性剤である）を参照のこと）。インキ組成物に添加されるときに添加剤の量を制御することができるが、印刷上の問題が依然として生じ得る。しかしながら、アルキルチオエーテル界面活性剤または高度にアルコキシ化されたロジン等の水溶性添加剤を含有する油性インキは、先行技術において開示されていない。
【０００８】
米国特許第５，２０３，９２６号は、インキがローラーおよび印刷版に粘着するのを防ぐようにローラーおよび印刷版を清潔かつ新鮮な状態に保つために使用される製剤を開示する。これは、印刷業界で使用される湿し水と相溶性のある洗浄液を用いることによって達成される。しかしながら、この方法は、印刷が再開される前に印刷版およびローラーを清潔な布で拭き取ることができるように印刷プロセスを停止する必要がある。
【０００９】
インキフィードバックおよび蓄積を排除するために、界面活性剤等の水溶性添加剤を組み込む湿し水が開発されている。この添加剤は、重要な湿潤特性および乳化特性を提供し、湿し水中の可燃性、毒性、および刺激性のアルコールを置換するためにも使用される。米国特許第７，２４０，６１５号、同第５，６０７，８１６号、および同第４，８５４，９６９号、ならびに米国特許公開第２００２／００８３８６５号は、界面活性剤を組み込む湿し水を開示している。界面活性剤は、湿し水中の疎水性画像化組成物の分散を促進するだけでなく、インキフィードバックおよび蓄積も減少させる。
【００１０】
インキフィードバックおよび蓄積の問題に対処するために、インキフィードバックの量を減少させるために設計された新規の部品を有する湿しシステムが開発されている。米国特許第４，７２４，７６４号は、流体を印刷機の円筒平板に塗布するために使用される湿しシステムを開示している。このシステムは、湿しインキ着けローラー、湿し流体移動ローラー、および湿し流体を計測するための従来の計測メカニズムを含む。このシステムは、湿し流体を保持するローラーの速度を円筒平板の速度よりも遅くしてインキフィードバックの量を減少させる。米国特許第６，９５１，１７４号は、インキフィードバックおよび蓄積の量を減少させる湿しシステムについても説明している。このシステムは、インキ着けローラーに接触し、かつ印刷後に余分なインキおよび湿し水をインキ着けローラーから除去する減法ローラーシステムを採用するキーレスインキングシステムである。これらのシステムを利用するために新規の部品および備品を調達する必要があり、それらは石版印刷機に相互接続されなければならない。
【００１１】
したがって、石版印刷プロセス中に非印刷版上で生じるインキフィードバックおよび過度のインキ蓄積の減少または排除等のオフセット輪転石版印刷に関連した問題を軽減するための非機械的手段の必要性が存在する。さらにオフセット石版印刷プロセス中のインキフィードバックおよび蓄積を排除することによって良好かつ効率的な印刷をもたらすインキ組成物の必要性も存在する。
【発明の概要】
【００１２】
着色剤、ニス、および水溶性アルキルチオエーテル界面活性剤もしくはエトキシ化修飾ロジン等のアルコキシ化修飾ロジン、またはこれらの組み合わせを含有するオフセット輪転石版インキ組成物が本明細書に提供される。本明細書に提供されるインキ組成物は、油性インキ組成物または水性インキ組成物であり得、これらは放射線硬化性インキ組成物であり得る。本明細書に提供されるオフセット石版インキ組成物は、ビヒクル、粘土、乳化安定剤、ワックス、油、および乳化剤、またはこれらの任意の組み合わせ等の１つ以上のさらなる成分も含み得る。
【００１３】
石版インキを提供し、水溶性アルキルチオエーテル界面活性剤またはエトキシ化修飾ロジン等のアルコキシ化修飾ロジンまたはこれらの組み合わせを石版インキに添加し、かつ石版印刷プロセスを用いてインキを被印刷物に塗布することとによって、オフセット輪転石版印刷プロセス中に生じるインキフィードバックおよびインキ蓄積を減少させるか、または排除する方法も本明細書に提供される。
【００１４】
石版印刷中のインキフィードバックおよびインキ蓄積を減少させるための石版インキ中の添加剤としての水溶性アルキルチオエーテル界面活性剤またはエトキシ化修飾ロジン等のアルコキシ化修飾ロジンまたはこれらの組み合わせの使用がさらに提供される。
【図面の簡単な説明】
【００１５】
【図１】図１は、油性インキ４（アルキルチオエーテル界面活性剤もアルコキシ化修飾ロジンも含有しない粘着性のより低い黄色のレーザーインキ、比較）を用いた、ノッチ２と１／４、水設定２０％、ならびに密度０．９５、０．９６、および０．９９を用いてＤｉｄｄｅ印刷機で実行した５分間の印刷機試験の結果を図解する。５分後、インキローラー下部の左遠端に残留インキが著しく蓄積し、いくつかの黄色のインキ帯もインキローラー下部全体にわたって蓄積し、重大なフィードバック問題を提示している。インキフィードバックは矢印で示される。
【図２Ａ】図２Ａは、油性インキ４（アルキルチオエーテル界面活性剤もアルコキシ化修飾ロジンも含有しない粘着性のより低い黄色のレーザーインキ、比較）を用いた、５％の画像を有する３０＃アビボ紙を用いて印刷機速度１００ｆｐｍのＤｉｄｄｅ印刷機で実行した印刷機試験の結果を図解する。実行が完了した後、インキローラー下部にインキフィードバックが蓄積した。インキフィードバックは矢印で示される。
【図２Ｂ】図２Ｂは、黄色のインキ９（０．３％の水溶性アルキルチオエーテル界面活性剤ＥｎｖｉｒｏＧｅｍ（登録商標）３６０を含有）の結果を示し、図２Ａの条件と同一の条件下で試験されたが、インキローラー下部にインキ蓄積をもたらした。インキフィードバックは矢印で示される。
【図３Ａ】図３は、高度にエトキシ化された水溶性ロジン添加剤を有する／有しないＤｉｎｇｌｅｙの黄色のレーザーインキを用いたＤｉｄｄｅ印刷機で実行した印刷機試験の結果を図解する。図３Ａは、インキ９（アルキルチオエーテル界面活性剤もアルコキシ化修飾ロジンも含有しない比較インキ）を用いた試験の結果を示す。インキローラー下部にインキが著しく蓄積し、黄色のインキ帯が散在した。インキフィードバックは矢印で示される。
【図３Ｂ】図３Ｂは、４％の高度にアルコキシ化された修飾ロジンをインキに添加した後の試験の結果を示す。インキローラー下部のインキフィードバックが著しく減少した。インキフィードバックは矢印で示される。
【発明を実施するための形態】
【００１６】
Ａ．定義
本明細書に提供される技術用語および科学用語の定義は、本出願の出願時に意図された定義を包含する。本発明（複数を含む）が属する当業者によって一般に理解される態様等の列挙されない定義に対する他の態様が存在し得るため、これらの定義が限定的であるようには意図されていない。本明細書の全開示を通して参照されるすべての特許、特許出願、公開された出願および出版物、ウェブサイト、ならびに他の公開された試料は、別途言及されない限り、参照によりそれらの全体が組み込まれる。本明細書において用語の定義が複数存在する場合、本項の定義を優先する。
【００１７】
上述の発明の概要も以下の発明を実施するための形態もいずれも単に例示および説明するためのものであり、特許請求される主題を限定するものではないことを理解されたい。本出願において、単数形の使用は、別途明確に提示されない限り、複数形を含む。本出願において、「または」の使用は、別途提示されない限り、「および／または」を意味する。さらに、「含む（ｉｎｃｌｕｄｉｎｇ）」という用語、ならびに「含む（ｉｎｃｌｕｄｅ）」および「含まれる」等の他の形態の使用は、限定的ではない。
【００１８】
本明細書で使用される際、範囲および量は、「約」ある値または範囲として表され得る。「約」は、その正確な量も含む。したがって、「約１０％」とは、「約１０％」を意味し、「１０％」も意味する。
【００１９】
本明細書で使用される際、「ａ」、「ａｎ」、および「ｔｈｅ」という単数形は、別途文脈が明確に指示しない限り、複数形の指示対象を含む。したがって、例えば、「アルキルチオエーテル」を含む組成物への言及は、１つまたは複数のアルキルチオエーテルを有する組成物を含む。
【００２０】
本明細書で使用される際、「着色」および「インキフィードバック」または「フィードバック」は、印刷物の非画像領域上の色の薄い外観を指す。着色は、他のインキ成分の有無にかかわらず、色素が湿し水中で可溶化または乳化し、かつ印刷物の非画像領域に移動するときに生じる。着色は、逆エマルジョンの形成から、すなわち、形成されるエマルジョンが必要なインキ中水ではなく水中インキであるときにも生じ得る。逆エマルジョンの形成は、インキに湿しシステムを介して戻し移動させ、そのシステムにおいて、湿しトラフの汚染または湿しローラー上での堆積のいずれかを行う。
【００２１】
本明細書で使用される際、「地汚れ」および「インキ蓄積」または「蓄積」は、印刷版の非画像領域がインキを受容し、そのインキをブランケットに、その後ブランケットから印刷物に移動させるときに生じる印刷物上の色の外観を指す。
Ｂ．オフセット輪転石版インキ組成物
【００２２】
水溶性アルキルチオエーテル界面活性剤、アルコキシ化修飾ロジン、またはこれらの組み合わせを含むオフセット輪転石版インキ組成物が本明細書に提供される。例えば、アルコキシ化修飾ロジンは、高度にアルコキシ化された修飾ロジンであり得る。好適な高度にアルコキシ化された修飾ロジンには、高度にエトキシ化された修飾ロジンが含まれる。オフセット輪転石版インキ組成物は、オフセット輪転石版印刷プロセス中に生じるインキフィードバックおよび過度のインキ蓄積を排除しなくとも、減少させる。この特徴のため、インキ組成物は、現行の先行技術オフセット輪転石版インキ組成物よりも有利である。本明細書に提供されるオフセット輪転石版インキ組成物は、任意の種類の石版インキであり得る。例えば、オフセット輪転石版インキは、油性インキまたは水性インキであり得る。これらのインキは、電子ビーム硬化性インキまたは紫外線硬化性インキ等の放射線硬化性インキであり得る。インキ組成物は、インキフィードバックの排除が所望される任意のオフセット輪転石版印刷プロセスにおいて使用され得る。例えば、本明細書に提供されるインキ組成物は、高速オフセット輪転石版印刷等の石版印刷またはオフセット印刷において使用され得る。
【００２３】
例示の実施形態において、オフセット輪転石版インキ組成物は、約０．０１〜５％の水溶性アルキルチオエーテル界面活性剤または約１〜１０％のアルコキシ化修飾ロジンを含有するように製剤化され得る。別の実施形態では、オフセット輪転石版インキ組成物は、水溶性アルキルチオエーテル界面活性剤およびアルコキシ化修飾ロジンの両方を含有するように製剤化され得る。いくつかの例示の実施形態において、オフセット輪転石版インキ組成物は、油性インキ組成物である。他の例示の実施形態では、オフセット輪転石版インキ組成物は、電子ビーム硬化性インキ組成物等の放射線硬化性インキ組成物である。
１．水溶性アルキルチオエーテル界面活性剤
【００２４】
本明細書に提供されるオフセット輪転石版インキ組成物は、水溶性アルキルチオエーテル界面活性剤を含み得る。水溶性アルキルチオエーテル界面活性剤は、典型的には、耐オゾン性を改善し、色相変化を防ぎ、かつ平衡表面張力の減少を提供するために湿し水中で使用される。しかしながら、これらの界面活性剤は、オフセット輪転石版インキ、例えば、油性オフセット輪転石版インキ中の添加剤として使用されていない。本明細書に提供されるインキ組成物に組み込まれ得る好適な水溶性アルキルチオエーテル界面活性剤は、任意のエーテル誘導体を含み、そこで酸素が硫黄で置換される。そのような界面活性剤は当技術分野で知られており、Ａｉｒ  Ｐｒｏｄｕｃｔｓ（Ａｌｌｅｎｔｏｗｎ，ＰＡ）およびＢｕｒｌｉｎｇｔｏｎ  Ｃｈｅｍｉｃａｌ（Ｇｒｅｅｎｓｂｏｒｏ，ＮＣ）等の供給業者から購入することができる。
【００２５】
本明細書に提供されるインキ組成物での使用に好適なアルキルチオエーテルの例には、２，３−ジヒドロキシプロピル−２’−ヒドロキシ−３’−（２−エチルヘキシルオキシ）プロピル硫化物、２，３−ジヒドロキシプロピル−２’−ヒドロキシ−３’−ドデシルオキシプロピル硫化物、２，３−ジヒドロキシプロピル−２’−ヒドロキシ−３’−ヘキサデシルオキシプロピル硫化物、２，３−ジヒドロキシプロピル−２’−ヒドロキシ−３’−テトラデシルオキシプロピル硫化物、２−ヒドロキシエチル−２’−ヒドロキシ−３’−ブトキシプロピル硫化物、２−ヒドロキシエチル−２’−ヒドロキシ−３’−オクチルオキシプロピル硫化物、２−ヒドロキシエチル−２’−ヒドロキシ−３’−ノニルオキシプロピル硫化物、２−ヒドロキシエチル−２’−ヒドロキシ−３’−デシルオキシプロピル硫化物、２−ヒドロキシエチル−２’−ヒドロキシ−３’−ドデシルオキシプロピル硫化物、２−ヒドロキシエチル−２’−ヒドロキシ−３’−ヘキサデシルオキシプロピル硫化物、２−ヒドロキシエチル−２’−ヒドロキシ−３’−テトラデシルオキシプロピル硫化物、２−ヒドロキシエチル−２’−ヒドロキシ−３’−（２−エチルヘキシルオキシ）プロピル硫化物、および２−ドデシル−２’−ヒドロキシ−３’−ブトキシプロピル硫化物が挙げられる。当業者に既知の任意の他の好適な水溶性アルキルチオエーテルは、本明細書に提供されるインキ組成物中でも使用され得る。
【００２６】
本発明の例示の実施形態で使用されるアルキルチオエーテル界面活性剤の具体的な例には、市販のＡｉｒ  Ｐｒｏｄｕｃｔｓ  ａｎｄ  Ｃｈｅｍｉｃａｌｓ（Ａｌｌｅｎｔｏｗｎ，ＰＡ）のＥｎｖｉｒｏＧｅｍ（登録商標）３６０がある。ＥｎｖｉｒｏＧｅｍ（登録商標）３６０は、高性能の非イオン性超湿潤および合体界面活性剤（１００％活性液体）である。ＥｎｖｉｒｏＧｅｍ（登録商標）３６０界面活性剤は、動的および平衡表面張力を大幅に減少させ、低泡および膜形成／合体利点も提供する。ＥｎｖｉｒｏＧｅｍ（登録商標）３６０を様々な水性塗布において、例えば、湿し水の成分として使用して、効率的かつ効果的な印刷版の湿潤および泡制御を提供することができる。
【００２７】
本明細書に提供されるオフセット輪転石版インキ組成物において、インキ組成物（重量％）の重量パーセント（重量％）としてのアルキルチオエーテル界面活性剤の総量は、例えば、重量パーセントで、インキ組成物の０．０１％または約０．０１％〜５％または約５％、例えば、０．０１％〜０．０５％、０．０１％〜０．１％、０．０１％〜０．２％、０．０１％〜０．３％、０．０１％〜０．４％、０．０１％〜０．５％、０．０１％〜０．６％、０．０１％〜０．７％、０．０１％〜０．８％、０．０１％〜０．９％、０．０１％〜１％、０．０１％〜１．５％、０．０１％〜２％、０．０１％〜２．５％、０．０１％〜３％、０．０１％〜３．５％、０．０１％〜４％、０．０１％〜４．５％、０．０１％〜５％、０．０５％〜０．１％、０．０５％〜０．２％、０．０５％〜０．３％、０．０５％〜０．４％、０．０５％〜０．５％、０．０５％〜０．６％、０．０５％〜０．７％、０．０５％〜０．８％、０．０５％〜０．９％、０．０５％〜１％、０．０５％〜１．５％、０．０５％〜２％、０．０５％〜２．５％、０．０５％〜３％、０．０５％〜３．５％、０．０５％〜４％、０．０５％〜４．５％、０．０５％〜５％、０．１％〜０．２％、０．１％〜０．３％、０．１％〜０．４％、０．１％〜０．５％、０．１％〜０．６％、０．１％〜０．７％、０．１％〜０．８％、０．１％〜０．９％、０．１％〜１％、０．１％〜１．５％、０．１％〜２％、０．１％〜２．５％、０．１％〜３％、０．１％〜３．５％、０．１％〜４％、０．１％〜４．５％、０．１％〜５％、０．２％〜０．３％、０．２％〜０．４％、０．２％〜０．５％、０．２％〜０．６％、０．２％〜０．７％、０．２％〜０．８％、０．２％〜０．９％、０．２％〜１％、０．２％〜１．５％、０．２％〜２％、０．２％〜２．５％、０．２％〜３％、０．２％〜３．５％、０．２％〜４％、０．２％〜４．５％、０．２％〜５％、０．３％〜０．４％、０．３％〜０．５％、０．３％〜０．６％、０．３％〜０．７％、０．３％〜０．８％、０．３％〜０．９％、０．３％〜１％、０．３％〜１．５％、０．３％〜２％、０．３％〜２．５％、０．３％〜３％、０．３％〜３．５％、０．３％〜４％、０．３％〜４．５％、０．３％〜５％、０．４％〜０．５％、０．４％〜０．６％、０．４％〜０．７％、０．４％〜０．８％、０．４％〜０．９％、０．４％〜１％、０．４％〜１．５％、０．４％〜２％、０．４％〜２．５％、０．４％〜３％、０．４％〜３．５％、０．４％〜４％、０．４％〜４．５％、０．４％〜５％、０．５％〜０．６％、０．５％〜０．７％、０．５％〜０．８％、０．５％〜０．９％、０．５％〜１％、０．５％〜１．５％、０．５％〜２％、０．５％〜２．５％、０．５％〜３％、０．５％〜３．５％、０．５％〜４％、０．５％〜４．５％、０．５％〜５％、０．６％〜０．７％、０．６％〜０．８％、０．６％〜０．９％、０．６％〜１％、０．６％〜１．５％、０．６％〜２％、０．６％〜２．５％、０．６％〜３％、０．６％〜３．５％、０．６％〜４％、０．６％〜４．５％、０．６％〜５％、０．７％〜０．８％、０．７％〜０．９％、０．７％〜１％、０．７％〜１．５％、０．７％〜２％、０．７％〜２．５％、０．７％〜３％、０．７％〜３．５％、０．７％〜４％、０．７％〜４．５％、０．７％〜５％、０．８％〜０．９％、０．８％〜１％、０．８％〜１．５％、０．８％〜２％、０．８％〜２．５％、０．８％〜３％、０．８％〜３．５％、０．８％〜４％、０．８％〜４．５％、０．８％〜５％、０．９％〜１％、０．９％〜１．５％、０．９％〜２％、０．９％〜２．５％、０．９％〜３％、０．９％〜３．５％、０．９％〜４％、０．９％〜４．５％、０．９％〜５％、１％〜１．５％、１％〜２％、１％〜２．５％、１％〜３％、１％〜３．５％、１％〜４％、１％〜４．５％、１％〜５％、１．５％〜２％、１．５％〜２．５％、１．５％〜３％、１．５％〜３．５％、１．５％〜４％、１．５％〜４．５％、１．５％〜５％、２％〜２．５％、２％〜３％、２％〜３．５％、２％〜４％、２％〜４．５％、２％〜５％、２．５％〜３％、２．５％〜３．５％、２．５％〜４％、２．５％〜４．５％、２．５％〜５％、３％〜３．５％、３％〜４％、３％〜４．５％、３％〜５％、３．５％〜４％、３．５％〜４．５％、３．５％〜５％、４％〜４．５％、４％〜５％、または４．５％〜５％であり得る。概して、このインキ組成物は、５％未満のアルキルチオエーテル界面活性剤を含有する。例えば、本明細書に提供されるオフセット輪転石版インキ組成物は、組成物の重量に基づいて、最大または最大約０．０１％、０．１％、０．２％、０．３％、０．４％、０．５％、０．６％、０．７％、０．８％、０．９％、１％、１．５％、２％、２．５％、３％、３．５％、４％、４．５％、または５％のアルキルチオエーテル界面活性剤を含有する。
【００２８】
水溶性アルキルチオエーテル界面活性剤を含有する例示のオフセット輪転石版インキ組成物が本明細書に提供される。本明細書に提供されるオフセット輪転石版インキ組成物を用いて、石版印刷プロセス中に一般に生じるインキフィードバックおよび蓄積を減少させるか、または排除することができる。例示のそのようなインキ組成物は、油性インキおよび０．０１％または約０．０１％〜５％または約５％の水溶性アルキルチオエーテル界面活性剤を含有する。例えば、インキ組成物は、油性インキおよび０．３％または約０．３％の水溶性アルキルチオエーテル界面活性剤を含有し得る。
２．アルコキシ化修飾ロジン
【００２９】
アルコキシ化修飾ロジンを含有するオフセット輪転石版インキ組成物が本明細書に提供される。ロジンは、松の木およびいくつかの他の植物、主に針葉樹から得られる固形の樹脂であり、新鮮な液体樹脂を加熱して揮発性液体テルペン成分を蒸発させることによって生成される。ロジンは、主に、遊離酸形態（すなわち、アビエチン酸）を代表とするＣ２０三環式縮合環モノカルボン酸の混合物であり、以下の式で表される：
2014530273.tif 000002
【００３０】
ロジンは、官能基の添加等によって修飾され得る。例えば、ロジンは、１つ以上のアルコキシ基を添加することによって修飾され得る。ロジンは、高度にアルコキシ化された修飾ロジンとなるように修飾され得る。高度にアルコキシ化された修飾ロジンは、１０％超または約１０％アルコキシ化されるが、７０％未満または約７０％しかアルコキシ化されないロジンである。例えば、本明細書に提供されるインキ組成物中で使用される高度にアルコキシ化された修飾ロジンは、１０％または約１０％〜７０％アルコキシ化され得、例えば、１０％〜２０％、１０％〜３０％、１０％〜４０％、１０％〜４５％、１０％〜５０％、１０％〜５５％、１０％〜６０％、１０％〜７０％、２０％〜３０％、２０％〜４０％、２０％〜４５％、２０％〜５０％、２０％〜５５％、２０％〜６０％、２０％〜７０％、３０％〜４０％、３０％〜４５％、３０％〜５０％、３０％〜５５％、３０％〜６０％、３０％〜７０％、４０％〜４５％、４０％〜５０％、４０％〜５５％、４０％〜６０％、４０％〜７０％、５０％〜５５％、５０％〜６０％、５０％〜７０％、５５％〜６０％、５５％〜７０％、および６０％〜７０％アルコキシ化され得る。概して、このアルコキシ化修飾ロジンは、７０％未満アルコキシ化される。例えば、本明細書に提供されるインキ組成物中で使用されるアルコキシ化修飾ロジンは、少なくともまたは少なくとも約１０％、２０％、３０％、４０％、４５％、５０％、５５％、６０％アルコキシ化されるが、７０％未満しかアルコキシ化されない。アルコキシ化によって修飾され、かつ本明細書に提供されるインキ組成物中で使用され得る好適なロジンには、ガムロジン、ウッドロジン、およびトール油ロジンが含まれる。高度にアルコキシ化された修飾ロジン化合物は、典型的には、印刷業界において湿し水の成分としても使用されているが、オフセット輪転石版インキへの添加剤としては使用されていない。
【００３１】
本明細書に提供される組成物に組み込まれ得る好適なアルコキシ化修飾ロジンには、メトキシ修飾（すなわち、メトキシ化）ロジン、エトキシ修飾（すなわち、エトキシ化）ロジン、プロポキシ修飾（すなわち、プロポキシ化）ロジン、ブトキシ修飾（すなわち、ブトキシ化）ロジン、および当業者に既知の任意の他のアルコキシ修飾ロジン等のアルコキシ化修飾ロジンが含まれる。そのような修飾ロジンは当技術分野で知られており、Ｅｔｈｏｘ  Ｃｈｅｍｉｃａｌｓ（Ｇｒｅｅｎｖｉｌｌｅ，ＳＣ）、Ｅａｓｔｍａｎ  Ｃｈｅｍｉｃａｌ  Ｃｏｍｐａｎｙ（Ｋｉｎｇｓｐｏｒｔ，ＴＮ）、Ｌａｗｔｅｒ（Ｃｈｉｃａｇｏ，ＩＬ）およびＭＷＶ（Ｒｉｃｈｍｏｎｄ，ＶＡ）等の供給業者から購入することができる。
【００３２】
本発明の例示の実施形態で使用されるアルコキシ化修飾ロジンの具体的な例には、Ｅｔｈｏｘ４６１４（Ｅｔｈｏｘ  Ｃｈｅｍｉｃａｌｓ，Ｇｒｅｅｎｖｉｌｌｅ，ＳＣ）がある。Ｅｔｈｏｘ４６１４は、少なくとも５０％エトキシ化された水溶性の高度にエトキシ化された修飾ロジンである。
【００３３】
本明細書に提供される組成物において、組成物（重量％）の重量パーセント（重量％）としてのアルコキシ化修飾ロジンの総量は、例えば、重量パーセントで、組成物の０．１％または約０．１％〜１０％または約１０％、例えば、０．１％〜０．５％、０．１％〜０．７５％、０．１％〜１％、０．１％〜１．５％、０．１％〜２％、０．１％〜２．５％、０．１％〜３％、０．１％〜３．５％、０．１％〜４％、０．１％〜４．５％、０．１％〜５％、０．１％〜５．５％、０．１％〜６％、０．１％〜６．５％、０．１％〜７％、０．１％〜７．５％、０．１％〜８％、０．１％〜８．５％、０．１％〜９％、０．１％〜９．５％、０．１％〜１０％、０．５％〜０．７５％、０．５％〜１％、０．５％〜１．５％、０．５％〜２％、０．５％〜２．５％、０．５％〜３％、０．５％〜３．５％、０．５％〜４％、０．５％〜４．５％、０．５％〜５％、０．５％〜５．５％、０．５％〜６％、０．５％〜６．５％、０．５％〜７％、０．５％〜７．５％、０．５％〜８％、０．５％〜８．５％、０．５％〜９％、０．５％〜９．５％、０．５％〜１０％、０．７５％〜１％、０．７５％〜１．５％、０．７５％〜２％、０．７５％〜２．５％、０．７５％〜３％、０．７５％〜３．５％、０．７５％〜４％、０．７５％〜４．５％、０．７５％〜５％、０．７５％〜５．５％、０．７５％〜６％、０．７５％〜６．５％、０．７５％〜７％、０．７５％〜７．５％、０．７５％〜８％、０．７５％〜８．５％、０．７５％〜９％、０．７５％〜９．５％、０．７５％〜１０％、１％〜１．５％、１％〜２％、１％〜２．５％、１％〜３％、１％〜３．５％、１％〜４％、１％〜４．５％、１％〜５％、１％〜５．５％、１％〜６％、１％〜６．５％、１％〜７％、１％〜７．５％、１％〜８％、１％〜８．５％、１％〜９％、１％〜９．５％、１％〜１０％、１．５％〜２％、１．５％〜２．５％、１．５％〜３％、１．５％〜３．５％、１．５％〜４％、１．５％〜４．５％、１．５％〜５％、１．５％〜５．５％、１．５％〜６％、１．５％〜６．５％、１．５％〜７％、１．５％〜７．５％、１．５％〜８％、１．５％〜８．５％、１．５％〜９％、１．５％〜９．５％、１．５％〜１０％、２％〜２．５％、２％〜３％、２％〜３．５％、２％〜４％、２％〜４．５％、２％〜５％、２％〜５．５％、２％〜６％、２％〜６．５％、２％〜７％、２％〜７．５％、２％〜８％、２％〜８．５％、２％〜９％、２％〜９．５％、２％〜１０％、２．５％〜３％、２．５％〜３．５％、２．５％〜４％、２．５％〜４．５％、２．５％〜５％、２．５％〜５．５％、２．５％〜６％、２．５％〜６．５％、２．５％〜７％、２．５％〜７．５％、２．５％〜８％、２．５％〜８．５％、２．５％〜９％、２．５％〜９．５％、２．５％〜１０％、３％〜３．５％、３％〜４％、３％〜４．５％、３％〜５％、３％〜５．５％、３％〜６％、３％〜６．５％、３％〜７％、３％〜７．５％、３％〜８％、３％〜８．５％、３％〜９％、３％〜９．５％、３％〜１０％、３．５％〜４％、３．５％〜４．５％、３．５％〜５％、３．５％〜５．５％、３．５％〜６％、３．５％〜６．５％、３．５％〜７％、３．５％〜７．５％、３．５％〜８％、３．５％〜８．５％、３．５％〜９％、３．５％〜９．５％、３．５％〜１０％、４％〜４．５％、４％〜５％、４％〜５．５％、４％〜６％、４％〜６．５％、４％〜７％、４％〜７．５％、４％〜８％、４％〜８．５％、４％〜９％、４％〜９．５％、４％〜１０％、４．５％〜５％、４．５％〜５．５％、４．５％〜６％、４．５％〜６．５％、４．５％〜７％、４．５％〜７．５％、４．５％〜８％、４．５％〜８．５％、４．５％〜９％、４．５％〜９．５％、４．５％〜１０％、５％〜５．５％、５％〜６％、５％〜６．５％、５％〜７％、５％〜７．５％、５％〜８％、５％〜８．５％、５％〜９％、５％〜９．５％、５％〜１０％、５．５％〜６％、５．５％〜６．５％、５．５％〜７％、５．５％〜７．５％、５．５％〜８％、５．５％〜８．５％、５．５％〜９％、５．５％〜９．５％、５．５％〜１０％、６％〜６．５％、６％〜７％、６％〜７．５％、６％〜８％、６％〜８．５％、６％〜９％、６％〜９．５％、６％〜１０％、６．５％〜７％、６．５％〜７．５％、６．５％〜８％、６．５％〜８．５％、６．５％〜９％、６．５％〜９．５％、６．５％〜１０％、７％〜７．５％、７％〜８％、７％〜８．５％、７％〜９％、７％〜９．５％、７％〜１０％、７．５％〜８％、７．５％〜８．５％、７．５％〜９％、７．５％〜９．５％、７．５％〜１０％、８％〜８．５％、８％〜９％、８％〜９．５％、８％〜１０％、８．５％〜９％、８．５％〜９．５％、８．５％〜１０％、９％〜９．５％、９％〜１０％、または９．５％〜１０％であり得る。概して、この組成物は、１０重量％未満のアルコキシ化修飾ロジンを含有する。例えば、本明細書に提供される組成物は、インキ組成物の重量に基づいて、最大または最大約１％、２％、３％、４％、５％、６％、７％、８％、９％、もしくは１０％のアルコキシ化修飾ロジンを含有し得る。
【００３４】
アルコキシ化修飾ロジンを含有する例示のオフセット輪転石版インキ組成物が本明細書に提供される。本明細書に提供されるオフセット輪転石版インキ組成物を用いて、石版印刷プロセス中に一般に生じるインキフィードバックおよび蓄積を減少させるか、または排除することができる。例示のそのようなインキ組成物は、油性インキおよび０．１％または約０．１％〜１０％または約１０％のアルコキシ化修飾ロジンを含有する。例えば、インキ組成物は、油性インキおよび３％または約３％のアルコキシ化修飾ロジンを含有し得る。別の例では、インキ組成物は、油性インキおよび４％または約４％のアルコキシ化修飾ロジンを含有し得る。別の例示の実施形態は、放射線硬化性インキおよび０．１％または約０．１％〜１０％または約１０％のアルコキシ化修飾ロジンを含有する。例えば、インキ組成物は、電子ビーム硬化性インキ等の放射線硬化性インキ、および３％または約３％のアルコキシ化修飾ロジンを含有し得る。
３．オフセット石版インキ
【００３５】
水溶性アルキルチオエステル界面活性剤、アルコキシ化修飾ロジン、またはこれらの組み合わせを含有するオフセット輪転石版インキ組成物が本明細書に提供される。本明細書に提供される組成物中で使用されるオフセット輪転石版インキは、油性インキまたは水性インキであり得る。いくつかの実施形態において、オフセット輪転石版インキは、電子ビーム硬化性インキまたは紫外線硬化性インキ等の放射線硬化性インキであり得る。本明細書に提供される組成物中で使用されるオフセット輪転石版インキは、以下の表１に列記される成分を含むが、これらに限定されない多くの成分を含有し得る。表１に示されるように、油性インキ組成物は、例えば、ニス、ビヒクル（ゲル、挿入物、またはＧ８０）、粘土、色素ベース、乳化安定剤、ワックス、水、ゲル、亜麻仁、亜麻仁油、ヒマシ油、大豆油、潤滑剤、乳化剤、および油から選択される１つ以上の成分を含み得る。典型的には、本明細書に提供される例示のインキ組成物等において、インキ組成物中の水溶性アルキルチオエーテル界面活性剤またはアルコキシ化修飾ロジンの量を増加または減少させるとき、ゲルビヒクル等のニスの量は、それぞれ、減少または増加し得る。
【表１】
2014530273.tif 000003
【００３６】
本明細書に提供されるオフセット輪転石版インキ組成物は、水溶性アルキルチオエーテル界面活性剤または高度にエトキシ化された修飾ロジン等のアルコキシ化修飾ロジンまたはこれらの組み合わせを含有する。本明細書に提供されるインキ組成物は、油性インキまたは水性インキであり得る。このインキは、電子ビーム硬化性または紫外線硬化性等の放射線硬化性インキであり得る。印刷、例えば、オフセット輪転石版印刷におけるこれらのインキ組成物の使用は、印刷の質を高め、石版印刷における主な問題であるインキフィードバックおよびインキ蓄積を減少させるか、または排除する。インキ組成物は、熱設定されたオフセットインキ印刷、枚葉印刷、新聞印刷、およびエネルギー硬化性オフセットインキ印刷等の多種多様の印刷適用において使用され得る。
Ｃ．実施例
実施例１
【００３７】
表１に特定される成分のうちの１つ以上を含む様々な色の代表的なオフセット輪転油性石版インキ組成物の例は、以下の表２に記載されるインキ１〜４である。表２に示される油性インキ組成物は、水溶性アルキルチオエーテル界面活性剤もアルコキシ化修飾ロジンも含有しない典型的な油性インキの例にすぎず、限定するものと見なされるべきではない。
【表２】
2014530273.tif 000004
【００３８】
以下の表３は、０．３％の水溶性アルキルチオエーテル界面活性剤、ＥｎｖｉｒｏＧｅｍ（登録商標）３６０（Ａｉｒ  Ｐｒｏｄｕｃｔｓ、Ａｌｌｅｎｔｏｗｎ，ＰＡ）を含有する例示のオフセット輪転油性石版インキ組成物を提供する。これらの組成物は、単なる例であり、限定するものとみなされるべきではない。
【表３】
2014530273.tif 000005
【００３９】
表２の比較油性インキ（インキ１〜４）と表３の水溶性アルキルチオエーテル界面活性剤を含有する例示の油性インキ（インキ５〜８）との間の粘着度、Ｌａｒａｙ粘度（Ｌ粘度）、およびＬａｒａｙ収率（Ｌ収率）の比較が、以下の表５および６に提供される。
【００４０】
粘着度の重要性は、粘着度がそれほど過度ではないため、ローラーから印刷版、ブランケット、その後印刷される被印刷物までのインキの効果的な移動を可能にしないことである。ある色から別の色へのより良好な捕捉を可能にするために、インキを降順で粘着度「格付け」することもできる。粘着度の高すぎるインキは、紙表面の吸着を引き起こし、その後の印刷ユニットおよびコピーへの移動を妨害し得る。
【００４１】
粘着度を、一般に市販されているインキ計測器を用いて測定することができる。インキ計測器は、印刷プロセス中に生じる動的条件をシュミレートすることによって信頼できるインキ粘着度のデータを提供することができる。粘着度を試験する際、インキ計測器は、インキ膜分裂に関与する統合力、ならびにこれらの力への速度、膜の厚さ、温度、および溶媒蒸発の影響を実際に測定する。
【００４２】
試験結果は、既知の速度、所定の膜の厚さ、および温度でインキ膜を「働かせる」ために必要とされるトルクを表す数値（グラム／メートル単位）で示される。これらのトルク読み込みデータは、実際には、インキの粘着度の測定値である。
【００４３】
この電子インキ計測器は、押しボタンで動作し、かつ温度、粘着度、ＲＰＭ、および試験時間をデジタル表示することによってインキ試験を簡素化する。上の試験のために、Ｔｈｗｉｎｇ−Ａｌｂｅｒｔインキ計測器（Ｗｅｓｔ  Ｂｅｒｌｉｎ，ＮＪ）を使用した。
【００４４】
粘度および収率値をＬａｒａｙ粘度計で測定した。Ｌａｒａｙ粘度計は、ロッドが規定の距離を移動するのに必要な時間を測定することによって広範囲の液体および粘性材料の粘度を決定する。例えば、液体の粘度を、Ｌａｒａｙ粘度計、ＬａｒａｙタイマーＴＭＩ９２−１５（０．００秒の分解能）、０．５℃の増分で測定することができる温度プローブ、Ｌａｒａｙコンピュータプログラム、２５±１℃で維持した水浴、約２〜３．５グラムの試料流体または液体、およびへらを用いて測定することができる。最初に、これらの器具の清潔度および全体の適切な条件を確認しなければならない。Ｌａｒａｙ粘度計を平衡させなければならない。温度も確認すべきであり、これらの器具を２５±１℃で制御しなければならない。通風制御下のキャビネットを用いて、温度を２５±１℃で維持することができる。へらを用いて試料を過度に混ぜることなくＬａｒａｙロッドを湿らることができる。好ましくは、この液体試料をＬａｒａｙロッド周囲に均一に沈着させる。異なる試料を試験するためのこの最初のステップの一貫性は、より一貫性のあるデータをもたらす可能性を高くする。その後、約１秒間の落下時間に相当する十分な力を用いてＬａｒａｙロッドを流体試料中に落下することができる。
【００４５】
以下の表４に列記される落下順序を用いて標準Ｌａｒａｙ試験を遂行することができる。
【表４】
2014530273.tif 000006
【００４６】
表４に列記されるそれぞれの落下順序に見合うように規定の時間範囲内でロッドを落下させることができる重量を選択および調整することができることを理解されたい。それぞれの時間範囲において複数の落下を回避するか、または最小限に抑えることが概して好ましい。キログラム単位の重量および秒単位の時間を摂氏温度のカラー温度とともに記録しなければならない。その後、記録した試験データを、粘度、収率値、および不足率を計算することができるＬａｒａｙプログラムにアップロードしてもよい。
【００４７】
これらの計算値から結果を記録することができる。これらの測定のために、２５００秒−１の剪断速度での粘度を変形または流動に抵抗する流体試料の能力と定義し、ポアズ単位（１ポアズ＝０．１パスカル秒）で測定する。２．５秒−２の剪断速度での収率値は、流動を開始するのに必要とされる仮定上の力であり、ダイン／ｃｍ２単位で測定される。最後に、不足率は、収率値対粘度の比率である。
【００４８】
標準Ｌａｒａｙ試験の代替案は、Ｖｅｒｔｉｓ−Ｌａｒａｙ法である。Ｖｅｒｔｉｓ−Ｌａｒａｙ法は、試料の調製および上述のＬａｒａｙロッド上への試料の設置を含む。次に、７００ｇの重量をロッドに設置した後に、これを落下する。その後、試料がカラーおよびロッドの周囲に再分布し得るようにロッドを後退させる。その後、時間を記録しながら７００ｇの重量でロッドを２回連続落下する。落下時間は、好ましくは、互いに±０．１秒間である。これらの落下時間の平均を最初の時間として設定する。その後、ロッドをさらに３回（５００ｇの重量で１回、３００ｇの重量で１回、および１００ｇの重量で１回）落下してもよい。それぞれの落下時間を記録しなければならない。カラー温度も摂氏温度で記録しなければならない。次に、記録したデータをＬａｒａｙプログラムにアップロードした後、上で定義される粘度、収率値、および不足率を計算することができる。
【００４９】
表２に列記される水溶性アルキルチオエーテル界面活性剤を含有しない比較油性インキ（インキ１〜４）の特性と、表３に列記される水溶性アルキルチオエーテル界面活性剤を含有する油性インキ（インキ５〜８）の特性を比較するために、１分間および５分間の粘着度試験を行った。表５および６に示されるように、水溶性アルキルチオエーテル界面活性剤を油性インキに添加しても、粘着度、粘度、および収率等の望ましいインキ特性に影響を及ぼさないが、以下で論じられるように、インキフィードバック問題を軽減する。
【表５】
2014530273.tif 000007
【表６】
2014530273.tif 000008
【００５０】
水溶性アルキルチオエーテル界面活性剤の存在がインキフィードバックおよびインキ蓄積に与えた影響を比較するために、オフセット輪転油性石版インキ組成物を試験した。試験は、熱設定されたオフセット輪転印刷機（Ｄｉｄｄｅ  Ｃｏｒｐｏｒａｔｉｏｎ，Ｓｐｒｉｎｇｂｏｒｏ，ＯＨ）を必要とした。
【００５１】
油性比較インキ４（いかなるアルキルチオエーテル界面活性剤も含有しない粘着性のより低い黄色のレーザーインキ）（表２を参照のこと）を用いた５分間の試験を、ノッチ２１／４、水設定２０％、ならびに密度０．９５、０．９６、および０．９９を用いてＤｉｄｄｅ印刷機で実行した。５分後、残留インキがインキローラーに蓄積し、したがって、重大なフィードバック問題を提示した。インキローラー下部の左遠端に黄色のインキが特に多く蓄積し、いくつかの黄色のインキ帯もインキローラー下部全体にわたって蓄積した。結果が図１に図示されており、矢印は、インキフィードバックを示す。
【００５２】
比較インキ４（いかなるアルキルチオエーテル界面活性剤も含有しない黄色のインキ）（表２を参照のこと）を用いた試験を、５％の画像を有する３０＃アビボ紙を用いて印刷機速度１００ｆｐｍのＤｉｄｄｅ印刷機で実行した。使用した湿し水は、Ｐｒｉｎｔｅａｓｙ２０５０（５オンス／ガロン）であった。実行が完了した後、インキローラー下部にインキフィードバックが蓄積した。結果が図２Ａに図示されており、矢印は、インキフィードバックの領域を示す。逆に、約０．３％の水溶性アルキルチオエーテル界面活性剤ＥｎｖｉｒｏＧｅｍ（登録商標）３６０を黄色のインキ（インキ８、表３）に添加して、インキ４と同一の条件下で試験したとき、インキローラー下部のフィードバック蓄積は大幅に減少した。インキローラー下部には、いかなる黄色のインキ帯も見られなかった。これらの結果が図２Ｂに図示されており、矢印は、インキフィードバックの領域を示す。
実施例２
【００５３】
いくつかのオフセット輪転油性石版インキ組成物を調製し、それらは以下の表７に示される。インキ９（比較）は、いかなるアルコキシ化修飾ロジンも含有しない油性で黄色のＤｉｎｇｌｅｙレーザーインキである。例示の組成物（インキ１０〜１１）は、約３％または約４％の水溶性の高度にエトキシ化されたロジンＥｔｈｏｘ ４６１４（Ｅｔｈｏｘ  Ｃｈｅｍｉｃａｌｓ，Ｇｒｅｅｎｖｉｌｌｅ，ＳＣ）を含有する油性インキ組成物である。
【表７】
2014530273.tif 000009
【００５４】
比較インキ９（表７）を用いた試験をＤｉｄｄｅ印刷機で実行した。試験が完了した後、インキローラー下部に黄色のインキフィードバックが複数の散在した暗黄色の帯の形態で著しく蓄積した。結果が図３Ａに図示されており、矢印は、インキフィードバックの領域を示す。その後、約４％の高度にエトキシ化されたロジン（Ｅｔｈｏｘ４６１４）を黄色のインキ（インキ１１、表７）に添加し、試験を再度実行した。図３Ｂは、４％のロジンをインキに添加した後の試験の結果を示しており、矢印は、インキフィードバックの領域を示す。高度にエトキシ化されたロジンをインキに添加することによって、ローラー下部のインキフィードバックを著しく減少させた。いくつかの黄色の帯がインキローラー下部に見られたが、高度にエトキシ化された修飾ロジンを有しないインキ（インキ９）の結果と比較して、その数は少なく、色も著しく薄かった。
実施例３
【００５５】
３％の高度にエトキシ化された水溶性ロジンＥｔｈｏｘ４６１４を含有する６個の電子ビーム（ＥＢ）硬化性オフセット石版インキを調製し、それぞれ、異なる色素色（インキ１３＝青緑色、インキ１４＝赤紫色、インキ１５＝黄色、インキ１６＝黒色、インキ１７＝緑色、インキ１８＝茶色）を含有した。修飾ロジンを含有しない比較ＥＢ硬化性オフセット石版インキ（インキ１２）を調製した。インキ製剤が以下の表８に示されており、表中、インキ１３〜１８の「色素」は、それぞれ、青緑色、赤紫色、黄色、黒色、緑色、または茶色である。
【表８】
2014530273.tif 000010
【００５６】
比較インキ１２および例示のインキ１３〜１８（表８）を用いた印刷試験を、コーティングされた板被印刷物およびＲｙｃｏｌｉｎｅ（登録商標）ＰｒｉｎｔＥａｓｙ（商標）４６００湿し水（Ｓｕｎ  Ｃｈｅｍｉｃａｌ，Ｃｈｉｃａｇｏ，ＩＬ）を用いてＤｒｅｎｔ  Ｇｏｅｂｅｌ  ＶＳＯＰ印刷機（Ｅｅｒｂｅｅｋ，Ｎｅｔｈｅｒｌａｎｄｓ）およびＧｏｓｓ  ＶＳＯＰ印刷機（Ｄｕｒｈａｍ，Ｎｅｗ  Ｈａｍｐｓｈｉｒｅ）で実行した。比較インキ１２を用いた全ての印刷試験物において、実行が完了した後に、インキローラー下部にインキフィードバックがかなり蓄積した。３％のＥｔｈｏｘ４６１４を含有する例示のインキ１３〜１８を用いた印刷試験物は、インキフィードバックを完全に排除した。高度にエトキシ化された修飾ロジンをインキ１３〜１８に添加することによって、ローラー下部のインキフィードバックを著しく減少させた。
【００５７】
本発明の精神および範囲から逸脱することなく本発明において様々な修正および変形を加えることができることは当業者に明らかである。したがって、本発明が本発明の修正および変形を包含することが意図されるが、但し、それらが添付の特許請求の範囲およびそれらの等価物の範囲内で行われることを条件とする。
【図１】
2014530273.tif 000011
【図２Ａ】
2014530273.tif 000012
【図２Ｂ】
2014530273.tif 000013
【図３Ａ】
2014530273.tif 000014
【図３Ｂ】
2014530273.tif 000015
【国際調査報告】
2014530273.tif 000016
2014530273.tif 000017
2014530273.tif 000018
2014530273.tif 000019
2014530273.tif 000020